(57)【要約】【課題】  砂、泥、泥水、水等の電磁クラッチ吸着面への付着が防止された車両用開放型圧縮機を提供することを目的とする。更に本発明は、砂、泥、泥水、水等の軸封装置への付着が防止された車両用開放型圧縮機を提供する。【解決手段】  主軸と、主軸により駆動される圧縮機構と、圧縮機構を収容するハウジングとを備え、主軸はハウジングを貫通してハウジング外へ延び、更に、ベルトを介して駆動源に接続されると共にハウジングにより回転可能に支持されたプーリーと、プーリーに形成された環状溝内に収容されたコイルと、ハウジング外へ延びた主軸の端部に固定されると共にコイルが発生させた磁力によってプーリーの環状溝底壁に吸着され駆動源の動力を主軸に伝達するアーマチュアとを有する電磁クラッチと、周縁部がプーリーに当接固定されてアーマチュアを覆うダストカバーとを備え、ダストカバー周縁部のプーリーとの当接部にシール部材が配設されている。【選択図】  図１
2007009942.tif 000002
【特許請求の範囲】
【請求項１】
主軸と、主軸により駆動される圧縮機構と、圧縮機構を収容するハウジングとを備え、主軸はハウジングを貫通してハウジング外へ延び、更に、ベルトを介して駆動源に接続されると共にハウジングにより回転可能に支持されたプーリーと、プーリーに形成された環状溝内に収容されたコイルと、ハウジング外へ延びた主軸の端部に固定されると共にコイルが発生させた磁力によってプーリーの環状溝底壁に吸着され駆動源の動力を主軸に伝達するアーマチュアとを有する電磁クラッチと、周縁部がプーリーに当接固定されてアーマチュアを覆うダストカバーとを備え、ダストカバー周縁部のプーリーとの当接部にシール部材が配設されていることを特徴とする車両用開放型圧縮機。
【請求項２】
主軸と、主軸により駆動される圧縮機構と、圧縮機構を収容するハウジングとを備え、主軸はハウジングを貫通してハウジング外へ延び、更に、ベルトを介して駆動源に接続されると共にハウジングにより回転可能に支持されたプーリーと、プーリーに形成された環状溝内に収容されたコイルと、ハウジング外へ延びた主軸の端部に固定されると共にコイルが発生させた磁力によってプーリーの環状溝底壁に吸着され駆動源の動力を主軸に伝達するアーマチュアとを有する電磁クラッチと、周縁部がプーリーに当接固定されてアーマチュアを覆うダストカバーとを備え、ダストカバーの周縁部がシール部材で形成されていることを特徴とする車両用開放型圧縮機。
【請求項３】
プーリーの環状溝底壁に形成されたスリットを塞ぐ閉塞部材が配設されていることを特徴とする請求項１又は２に記載の車両用開放型圧縮機。
【発明の詳細な説明】
【技術分野】
【０００１】
本発明は、車両用開放型圧縮機に関するものである。
【背景技術】
【０００２】
主軸と、主軸により駆動される圧縮機構と、圧縮機構を収容するハウジングとを備え、主軸はハウジングを貫通してハウジング外へ延び、更に、ベルトを介して駆動源に接続されると共にハウジングにより回転可能に支持されたプーリーと、プーリーに形成された環状溝内に収容されたコイルと、ハウジング外へ延びた主軸の端部に固定されると共にコイルが発生させた磁力によってプーリーの環状溝底壁に吸着され駆動源の動力を主軸に伝達するアーマチュアとを有する電磁クラッチとを備える車両用開放型圧縮機が、特許文献１等に開示されている。
更に、周縁部がプーリーに当接固定されてアーマチュアを覆うダストカバーを備える車両用開放型圧縮機も知られている。
【特許文献１】特開２００１−２８９１７７
【発明の開示】
【発明が解決しようとする課題】
【０００３】
従来のダストカバーを備える車両用開放型圧縮機においては、ダストカバー周縁部とプーリーとの当接部の隙間を介して、砂、泥、泥水、水等がダストカバー内に侵入し、プーリーのアーマチュア吸着面に付着して、電磁クラッチの吸着不良、焼き付き等を引き起こす可能性があった。またダストカバー内に進入した砂、泥、泥水、水等が主軸のハウジング貫通部に配設された軸封装置まで侵入して、冷媒漏れ、潤滑油漏れ等を引き起こす可能性があった。
本発明は上記問題に鑑みてなされたものであり、砂、泥、泥水、水等の電磁クラッチ吸着面への付着が防止された車両用開放型圧縮機を提供することを目的とする。更に本発明は、砂、泥、泥水、水等の軸封装置への付着が防止された車両用開放型圧縮機を提供することを目的とする。
【課題を解決するための手段】
【０００４】
上記課題を解決するために、本発明においては、主軸と、主軸により駆動される圧縮機構と、圧縮機構を収容するハウジングとを備え、主軸はハウジングを貫通してハウジング外へ延び、更に、ベルトを介して駆動源に接続されると共にハウジングにより回転可能に支持されたプーリーと、プーリーに形成された環状溝内に収容されたコイルと、ハウジング外へ延びた主軸の端部に固定されると共にコイルが発生させた磁力によってプーリーの環状溝底壁に吸着され駆動源の動力を主軸に伝達するアーマチュアとを有する電磁クラッチと、周縁部がプーリーに当接固定されてアーマチュアを覆うダストカバーとを備え、ダストカバー周縁部のプーリーとの当接部にシール部材が配設されていることを特徴とする車両用開放型圧縮機を提供する。
また本発明においては、主軸と、主軸により駆動される圧縮機構と、圧縮機構を収容するハウジングとを備え、主軸はハウジングを貫通してハウジング外へ延び、更に、ベルトを介して駆動源に接続されると共にハウジングにより回転可能に支持されたプーリーと、プーリーに形成された環状溝内に収容されたコイルと、ハウジング外へ延びた主軸の端部に固定されると共にコイルが発生させた磁力によってプーリーの環状溝底壁に吸着され駆動源の動力を主軸に伝達するアーマチュアとを有する電磁クラッチと、周縁部がプーリーに当接固定されてアーマチュアを覆うダストカバーとを備え、ダストカバーの周縁部がシール部材で形成されていることを特徴とする車両用開放型圧縮機を提供する。
本発明に係る車両用開放型圧縮機においては、アーマチュアを覆うダストカバー周縁部のプーリーとの当接部にシール部材が配設され、或いはアーマチュアを覆うダストカバーの周縁部がシール部材で形成されているので、砂、泥、泥水、水等は、ダストカバー周縁部とプーリーとの当接部を介してダストカバー内に侵入することができず、従って、電磁クラッチ吸着面や軸封装置に付着することができない。この結果、砂、泥、泥水、水等の付着による電磁クラッチの吸着不良、焼き付き、軸封装置の冷媒漏れ、潤滑油漏れが防止される。
【０００５】
本発明の好ましい態様においては、プーリーの環状溝底壁に形成されたスリットを塞ぐ閉塞部材が配設されている。
プーリーに形成された環状溝と当該溝に収容されたコイルとの間の微小隙間と、前記環状溝の底壁に形成された磁気回路形成用のスリットとを介して、微小量の砂、泥、泥水、水等が、ダストカバー内に侵入する可能性がある。プーリーの環状溝底壁に形成されたスリットを塞ぐ閉塞部材を配設することにより、ダストカバー内への砂、泥、泥水、水等の侵入を完全に防止することができる。
【発明の効果】
【０００６】
本発明に係る車両用開放型圧縮機においては、アーマチュアを覆うダストカバー周縁部のプーリーとの当接部にシール部材が配設され、或いはアーマチュアを覆うダストカバーがシール部材で形成されているので、砂、泥、泥水、水等は、ダストカバー周縁部とプーリーとの当接部を介してダストカバー内に侵入することができず、従って、電磁クラッチ吸着面や軸封装置に付着することができない。この結果、砂、泥、泥水、水等の付着による電磁クラッチの吸着不良、焼き付き、軸封装置の冷媒漏れ、潤滑油漏れが防止される。
【発明を実施するための最良の形態】
【０００７】
本発明の実施例に係る車両用開放型圧縮機を説明する。
【実施例１】
【０００８】
図１に示すように、車両空調装置用揺動式圧縮機１は、主軸２と、主軸２に固定されたローター３と、主軸２に対して傾斜して配設され相対回転可能にローター３に係合する揺動板４と、揺動板４の回転を阻止する図示しない回転阻止部材と、揺動板４に係合するピストン５と、ピストン５が往復摺動可能に挿入されたシリンダボア６ａを有すると共に主軸２とローター３と揺動板４とを収容するクランク室７を形成するシリンダブロック６と、シリンダブロック６の一端に固定されたフロットハウジング８と、吸入穴と吐出穴とが形成された弁板９を介してシリンダブロック６の他端に固定され吸入室１０ａと吐出室１０ｂとを形成するシリンダヘッド１０と、弁板９に装着された図示しない吸入弁と吐出弁とを備えている。フロットハウジング８とシリンダブロック６とシリンダヘッド１０とは、主軸２、ローター３、揺動板４、ピストン５等により構成される圧縮機構を収容するハウジングを、協働して形成している。
主軸２はフロットハウジング８のボス部８ａを貫通してハウジング外へ延びている。ボス部８ａの主軸貫通部に、軸封装置１１が配設されている。
【０００９】
ボス部８ａに電磁クラッチ１２が取り付けられている。電磁クラッチ１２は、図示しないベルトを介して図示しない車両エンジンに接続されると共にベアリング１３を介してボス部８ａにより回転可能に支持された溝型断面を有する環状のプーリー１２ａと、プーリー１２ａに形成された環状溝１２ｂ内に収容されると共にフロントハウジング８に固定されたコイル１２ｃと、ハウジング外へ延びた主軸２の端部にナット１４を用いて固定されると共にコイル１２ｃが発生させた磁力によってプーリー１２ａの環状溝底壁１２ｄに吸着され車両エンジンの動力を主軸２に伝達するアーマチュア１２ｅとを有している。環状溝底壁１２ｄのアーマチュア１２ｅと対峙する面には非磁性体である樹脂製の摩擦ライナー１２ｆが埋設固定され、また環状溝底壁１２ｄには、磁気回路形成用のスリット１２ｇが形成されている。
浅い有底筒状のダストカバー１５が、アーマチュア１２ｅに対峙して配設されている。ダストカバー１５の開放端に形成され、ダストカバー１５の周縁部を形成する外フランジ１５ａが、プーリー１２ａの端面に当接固定されている。図１、２に示すように、外フランジ１５ａ基部の湾曲部とプーリー１２ａの端面に形成された段差角部との当接部に、Ｏリング１６が配設されている。
図３に示すように、環状溝１２ｂ内に配設された銅や樹脂等の非磁性体からなる閉塞板１７が、環状溝底壁１２ｄに形成されたスリット１２ｇを塞いでいる。
【００１０】
車両空調装置用揺動式圧縮機１においては、図示しない車両エンジンから電磁クラッチ１２を介して主軸２へ回転動力が伝達され、主軸２が回転する。主軸２の回転に伴ってローター３が回転し、揺動板４が揺動し、ピストン５が往復動する。空調装置の蒸発器から吸入室１０ａへ戻った冷媒ガスが、弁板９の吸入穴と吸入弁と介してシリンダボア６ａへ吸入され、シリンダボア６ａ内で圧縮され、弁板９の吐出穴と吐出弁とを介して吐出室１０ｂへ吐出され、吐出室１０ｂから空調装置の凝縮器へ送出される。
【００１１】
車両空調装置用揺動式圧縮機１においては、電磁クラッチ１２のアーマチュア１２ｅを覆うダストカバー１５の周縁部を形成する外フランジ１５ａのプーリー１２ａ端面との当接部にＯリング１６が配設され、該部がシールされているので、砂、泥、泥水、水等は、ダストカバー１５の周縁部とプーリー１２ａの端面との当接部を介してダストカバー１５内に侵入することができず、更には、ボス部８ａまで侵入することもできない。従って、砂、泥、泥水、水等は、電磁クラッチ１２の吸着面である、環状溝底壁１２ｄのアーマチュア１２ｅに対峙する面に、付着することができず、更には軸封装置１１に付着することができない。この結果、砂、泥、泥水、水等の付着による電磁クラッチ１２の吸着不良、焼き付き、更には軸封装置１１の冷媒漏れ、潤滑油漏れが防止される。
【００１２】
プーリー１２ａに形成された環状溝１２ｂと、環状溝１２ｂに収容されたコイル１２ｃとの間の微小隙間、より正確には環状溝１２ｂの側面と、コイル１２ｃを格納したコイルケース１２ｃ’側面との間の微小隙間と、環状溝１２ｂの底壁１２ｄに形成された磁気回路形成用のスリット１２ｇとを介して、微小量の砂、泥、泥水、水等が、ダストカバー１５内に侵入する可能性がある。プーリー１２ａの環状溝底壁１２ｄに形成されたスリット１２ｇを塞ぐ閉塞板１７を配設することにより、ダストカバー１５内へ砂、泥、泥水、水等の侵入を完全に防止することができる。
【実施例２】
【００１３】
Ｏリング１６に代えて、矩形断面の角リングや、ガスケットを配設しても良い。Ｏリング１６を配設するのに代えて、ダストカバー１５全体又はダストカバー１５の周縁部をガスケット等のシール部材で形成しても良い。ダストカバー１５自身によって、ダストカバー１５の周縁部とプーリー１２ａとの当接部がシールされるので、砂、泥、泥水、水等は、ダストカバー１５の周縁部とプーリー１２ａとの当接部を介してダストカバー１５内に侵入することができず、更には、ボス部８ａまで侵入することもできない。従って、砂、泥、泥水、水等は、電磁クラッチ１２の吸着面である、環状溝底壁１２ｄのアーマチュア１２ｅに対峙する面に、付着することができず、更には軸封装置１１に付着することができない。この結果、砂、泥、泥水、水等の付着による電磁クラッチ１２の吸着不良、焼き付き、更には軸封装置１１の冷媒漏れ、潤滑油漏れが防止される。
【実施例３】
【００１４】
閉塞板１７の配設に加えて、図４に示すように、全てのスリット１２ｇを、摩擦ライナー１２ｆを用いて塞いでも良く、或いは図５に示すように全てのスリット１２ｇに、摩擦ライナー兼用の非磁性体からなる閉塞部材１８を埋め込んで、全てのスリット１２ｇを塞いでも良い。図４、５において、閉塞板１７を除去しても良い。
【産業上の利用可能性】
【００１５】
本発明は、電磁クラッチを備える種々の開放型圧縮機に広く利用可能である。
【図面の簡単な説明】
【００１６】
【図１】本発明の実施例に係る揺動板式圧縮機の断面図である。
【図２】本発明の実施例に係る揺動板式圧縮機の部分拡大断面図である。
【図３】本発明の実施例に係る揺動板式圧縮機の部分拡大断面図である。
【図４】本発明の実施例に係る揺動板式圧縮機の部分拡大断面図である。
【図５】本発明の実施例に係る揺動板式圧縮機の部分拡大断面図である。
【符号の説明】
【００１７】
１  揺動板式圧縮機
２  主軸
４  揺動板
５  ピストン
１１  軸封装置
１２  電磁クラッチ
１５  ダストカバー
１６  Ｏリング
１７  閉塞板
１８  閉塞部材
【図１】
2007009942.tif 000003
【図２】
2007009942.tif 000004
【図３】
2007009942.tif 000005
【図４】
2007009942.tif 000006
【図５】
2007009942.tif 000007